(57)【要約】【課題】デジタルペンを利用したシステムにおいて、複数の利用者が１つのデジタルペンを利用した場合であっても、簡易にかつ確実に利用者を特定する情報処理方法及び情報処理装置を提供する。【解決手段】情報処理装置１４は、端末１２から、ユーザＩＤ、認証キー及びＩＰアドレスを受信し、受信したユーザＩＤ、認証キーと予めユーザ情報テーブル３１１に登録されている情報とを照合して前記ユーザを認証し、前記ユーザ認証が正常であれば、前記受信したユーザＩＤと前記ＩＰアドレスとを対応付けてセッション情報テーブル３１２に登録するとともに、ユーザ認証が正常である旨を示す情報を前記端末１２へ送信し、前記端末１２から、ＩＰアドレスとともに前記デジタルペンからの筆記情報を受信し、該受信したＩＰアドレスと前記セッション情報テーブル３１２に登録されている情報から前記デジタルペン１０の利用者を特定する手段を備える。【選択図】  図７
2007108968.tif 000002
【特許請求の範囲】
【請求項１】
デジタルペンと、該デジタルペンと通信する端末と、該端末とネットワークを介して接続された情報処理装置とからなるシステムの前記情報処理装置における情報処理方法であって、
前記端末から、前記デジタルペンのユーザに関連する情報と第１の端末識別情報を受信し、
前記受信した前記ユーザに関連する情報と予め第１の記憶手段に登録されているユーザに関連する情報とを照合して前記ユーザを認証し、
前記ユーザ認証が正常であれば、前記受信した前記ユーザに関連する情報と前記第１の端末識別情報とを対応付けて第２の記憶手段に登録するとともに、ユーザ認証が正常である旨を示す情報を前記端末へ送信し、
前記端末から、第２の端末識別情報とともに前記デジタルペンからの筆記情報を受信し、
前記受信した第２の端末識別情報と前記第２の記憶手段に登録されている情報から前記デジタルペンのユーザを特定する、
ことを特徴とする前記情報処理装置における情報処理方法。
【請求項２】
前記第１、第２の端末識別情報は、ＩＰアドレスであることを特徴とする請求項１記載の情報処理方法。
【請求項３】
デジタルペン及び端末からネットワークを介して情報を受信し、該受信した情報の処理を行う情報処理装置であって、
前記デジタルペンのユーザに関連する情報と第１の端末識別情報を受信する受信インタフェースと、
前記受信インタフェースにより受信したユーザに関連する情報と予め第１の記憶手段に登録されているユーザに関連する情報とを照合して前記ユーザを認証し、ユーザ認証が正常であれば、前記受信したユーザに関連する情報と前記第１の端末識別情報とを対応付けて第２の記憶手段に登録するとともに、認証が正常である旨を示す情報を前記端末へ送信し、前記端末から第２の端末識別情報とともに前記デジタルペンからの筆記ストロークデータを受信すると、該筆記ストロークデータを該情報処理装置が処理するのに必要な形式の筆記データに変換し、前記第２の端末識別情報に基づいて前記第２の記憶手段を検索し、該検索して得られた前記ユーザに関連する情報と前記第２の識別情報と前記変換後の筆記データとを対応付けて第３の記憶手段に登録する制御部と、
を有することを特徴とする情報処理装置。
【請求項４】
前記第１、第２の端末識別情報は、ＩＰアドレスであることを特徴とする請求項３記載の情報処理装置。
【請求項５】
デジタルペンと、該デジタルペンと通信する端末と、該端末とネットワークを介して接続された情報処理装置とからなるシステムの前記情報処理装置における情報処理方法であって、
前記端末からユーザＩＤを受信し、
前記受信したユーザＩＤに基づいて、予めユーザＩＤと認証キーとが対応付けられて登録されている第１の記憶手段を検索し、取得した認証キーを前記端末に送信し、
前記端末から前記ユーザＩＤとＩＰアドレスを受信し、
前記受信した前記ＩＰアドレスと前記ユーザＩＤとを対応付けて第２の記憶手段に記憶し、
前記端末からの情報とともに前記デジタルペンからの筆記ストロークデータを受信し、
前記受信した筆記ストロークデータを前記情報処理装置が処理するのに必要な形式のデータに変換し、
前記受信したＩＰアドレスと、前記ユーザＩＤと、前記変換後のデータとを対応付けて第３の記憶手段に登録する、
ことを特徴とする前記情報処理装置における情報処理方法。
【請求項６】
デジタルペンと、該デジタルペンと通信する端末と、該端末とネットワークを介して接続された情報処理装置とからなるシステムの前記端末における情報処理方法であって、
前記端末の入力手段からユーザＩＤと認証キーを受信し、
前記受信したユーザＩＤを前記情報処理装置に送信し、
前記情報処理装置から前記ユーザＩＤに対応した認証キーを受信し、
前記端末の入力手段から受信した前記認証キーと前記情報処理装置から受信した認証キーとを照合して前記デジタルペンのユーザ認証を行い、
前記ユーザ認証後、前記ユーザＩＤとともに前記端末のＩＰアドレスを前記情報処理装置に送信し、
前記デジタルペンからの筆記情報を前記情報処理装置へ送信可能なように制御し、前記筆記情報とともに前記端末のＩＰアドレスを前記情報処理装置に送信する、
ことを特徴とする前記端末における情報処理方法。
【発明の詳細な説明】
【技術分野】
【０００１】
本発明は、デジタルペンを利用したシステムにおける情報処理方法及び情報処理装置に関する。
【背景技術】
【０００２】
近年、官庁や自治体、民間企業などの分野で業務の電子化が推進され、電子データを取り扱う場面が多くなってきている。しかし、一方で、「紙とペン」を用いた従来どおりの記入方法に対するニーズも高い。そこで、この「紙」と「電子データ」を効率的に融合する技術として、デジタルペン（又は電子ペン）を利用した技術が知られている。例えば、特許文献１には、記入者を特定する情報とペンＩＤとを関連付けたファイルを有し、デジタルペンから取得したペンＩＤと上記ファイルから記入者の権限の有無を判定するシステムが開示されている。又、特許文献２には、ドットパターンを印刷した専用ペーパーに記入された筆跡の特徴から利用者を特定するシステムが開示されている。
【０００３】
【特許文献１】特開２００３−３４５９４５号公報（段落００６５）
【特許文献２】特開２００４−２６５００３号公報（段落００５９、図８（ｂ））
【発明の開示】
【発明が解決しようとする課題】
【０００４】
デジタルペンを使用して業務日誌を登録する業務などにおいては、複数の利用者が１つのデジタルペンを共用する場合が想定されるが、この場合、できるだけ他の同僚に業務日誌の内容を見られる事態を避けたいというニーズがあり、デジタルペンによる筆記情報とデジタルペンの利用者とを紐付けし、利用者を確実に特定する仕組みが必要である。しかしながら、上記特許文献１に記載のシステムにおいて利用者を特定するためには、利用者の各々が、異なるデジタルペンを使用する必要がある。従って、ある利用者が、間違えて他の利用者のデジタルペンを使用すると、そのデジタルペンにより記入された情報が他の利用者の記入情報として処理されてしまう可能性がある。又、特許文献２に記載のシステムにおいては１つのデジタルペンを複数の利用者で共用することが可能であるが、筆跡の特徴により利用者を識別しているため、その識別に時間を要し、又、登録した筆跡の特徴情報の質によっては識別エラーが生じる可能性がある。
【０００５】
本発明は、以上の点に鑑みてなされたもので、デジタルペンを利用したシステムにおいて、複数の利用者が１つのデジタルペンを利用した場合であっても、簡易にかつ確実に利用者を特定する情報処理方法及び情報処理装置を提供することを目的とする。
【課題を解決するための手段】
【０００６】
上記課題を解決するために、本発明による情報処理方法は、ユーザ認証を行った後、端末から送信されてきたＩＰアドレスとユーザＩＤとを記憶手段に記憶するとともにユーザ認証が正常である旨を示す情報を端末に送信し、端末からＩＰアドレスとともにデジタルペンからの筆記情報を受信すると、そのＩＰアドレスと上記記憶手段の情報とから上記デジタルペンの利用者を特定できることを特徴とする。この情報処理により、本発明により情報処理装置は、デジタルペンの利用者を特定し、その特定した利用者と、該利用者がデジタルペンを用いてデジタルペン対応用紙に記入した情報とを対応付けてアプリケーションを処理することができる。
【発明の効果】
【０００７】
本発明によれば、複数の利用者が１つのデジタルペンを利用した場合であっても、簡易にかつ確実に利用者の各々を特定することが可能となり、デジタルペンを利用するシステムを安全に運用可能となる。
【０００８】
又、本発明によれば、１つのデジタルペンを複数の利用者で共用できるので、システムに要するコストを低減できる。
【発明を実施するための最良の形態】
【０００９】
以下、本発明による情報処理方法及び情報処理装置の実施形態について、図面を参照して詳細に説明する。
【実施例１】
【００１０】
図１は、本発明による情報処理方法及び情報処理装置を適用するシステム１全体の構成を示す図である。本発明を適用するシステム１は、デジタルペン１０と、特殊なドットパターンが印刷された用紙（デジタルペン対応用紙）１１と、デジタルペン１０と通信を行う端末１２と、端末１２とネットワーク１３を介して接続されている情報処理装置１４（サーバなど）とから構成されている。ここで、デジタルペン１０と端末１２との接続形態は、有線接続であっても、無線接続であっても良い。図１では、端末１２はアダプタを有し、デジタルペン１０と有線接続されている場合を示している。又、図示していないが、デジタルペン１０は、記入者がデジタルペン対応用紙１１に記入した筆記データをストロークデータ（以下、筆記ストロークデータと呼ぶ）に変換して、端末１２に送信する機能や筆記ストロークデータをメモリに保持する機能を有している。
【００１１】
図２は、端末１２の構成を示すブロック図である。端末１２は、制御部（ＣＰＵなど）２０と、制御部２０が実行するプログラム２１０を記憶する記憶部２１と、デジタルペン２２からのデータを受信するデジタルペンインタフェース２２と、ネットワーク１３とデータを送受信するネットワークインタフェース２３と、後述するユーザＩＤなどの情報を入力するための入力部２４と、情報を表示（出力）するための表示部２５とを有している。ここで、プログラム２１０は、業務処理を行うために必要なアプリケーション２２０、デジタルペンインタフェース２２により受信したデジタルペン１０の筆記ストロークデータの情報処理装置１４への送信を制御するデジタルペンインタフェース２２制御機能２２１、ＷＥＢブラウザ機能２２２などの各プログラムからなる。
【００１２】
図３は、情報処理装置１４の構成を示すブロック図である。情報処理装置１４は、制御部（ＣＰＵなど）３０と、制御部３０が実行するプログラム３１０と各種テーブル（ユーザ情報テーブル３１１、セッション情報テーブル３１２、筆記データデーブル３１３）を記憶する記憶部３１と、ネットワーク１３とデータを送受信するネットワークインタフェース３２とを有している。ここで、プログラム３１０は、業務処理を行うために必要なアプリケーション３２０、ユーザ認証機能３２１、デジタルペン１０からの筆記ストロークデータをアプリケーション３２０に適した形式のデータに変換するデータ変換機能３２２、端末１２からのデータの上記テーブルへの登録処理等を行う登録処理等機能３２３などの各プログラムからなる。
【００１３】
図４は、ユーザ情報テーブル３１１の構成を示す図である。ユーザ情報テーブル３１１には、ユーザ名４０と、ユーザ識別情報であるユーザＩＤ４１と、認証キー（例えば、パスワード）４２とが対応付けられて記憶されている。ユーザＩＤと認証キーは、端末１２の表示部２４に表示されるログイン画面からデジタルペン１０の利用者により入力されるものである。尚、ログイン手段は、上記以外に、生体情報の入力やその他の識別情報の入力によるものであっても良い。
【００１４】
図５は、セッション情報テーブル３１２の構成を示す図である。セッション情報テーブル３１２には、端末を識別する情報であるＩＰ（Ｉｎｔｅｒｎｅｔ  Ｐｒｏｔｏｃｏｌ）アドレス５０と、ユーザＩＤ５１とが対応付けられて記憶されている。
【００１５】
図６は、筆記データテーブル３１３の構成を示す図である。筆記データテーブル３１３には、ＩＰアドレス６０と、ユーザＩＤ６１と、デジタルペン１０からの筆記ストロークデータを上述のデータ変換機能３２２により変換した後の筆記データ６２とが対応付けられて記憶されている。
【００１６】
図７は、本発明の第１の実施形態による情報処理を示すシーケンスである。まずデジタルペン１０の利用者は、端末１２の表示部２４に表示されたログイン画面から、入力部２４によりユーザＩＤと認証キーを入力する（ステップＳ７０）。端末１２は、利用者により入力されたユーザＩＤ、認証キーとともに自端末１２のＩＰアドレスを情報処理装置１４に送信する（ステップ７１）。
【００１７】
端末１２からのユーザＩＤ、認証キー、ＩＰアドレスをネットワークインタフェース３２により受信すると、制御部３０は、ネットワークインタフェース３２により受信したユーザＩＤ、認証キーとユーザ情報テーブル３１１の情報とを照合し、利用者の認証を行う（ステップ７２）。次に制御部３０は、利用者の認証が正常であれば、上記受信したＩＰアドレスとユーザＩＤとを対応付けてセッション情報テーブル３１２に登録する（ステップ７３）。次に制御部３０は、認証が正常であることを示す情報を端末１２へ送信するように制御する（ステップ７４）。
【００１８】
端末１２に備える制御部２０は、情報処理装置１４から認証が正常であることを示す情報を受信すると、デジタルペン１０からの筆記ストロークデータを情報処理装置１４へ送信できるようにデジタルペンインタフェース２２を制御する（ステップ７５）。この制御によって、デジタルペンインタフェース２２は、デジタルペン１０から受信した筆記ストロークデータを出力できる状態となる。この状態は、後述する一定時間経過する（タイムアウト）まで、もしくはログオフされるまで継続する。次に制御部２０は、“ログイン成功”などのメッセージを表示部２５に表示するように制御する（ステップ７６）。次に制御部２０は、デジタルペン１０からの筆記ストロークデータ（ステップ７７）とともに端末１２のＩＰアドレスを情報処理装置１４に送信するように制御する（ステップ７８）。
【００１９】
端末１２からの筆記ストロークデータ、ＩＰアドレスを情報処理装置１４に備えるネットワークインタフェース３２により受信すると、制御部３０は、受信した筆記ストロークデータをアプリケーション３２０に適した形式のデータ（テキストデータ、画像データなど）に変換する（ステップ７９）。次に制御部３０は、ステップ７８で受信したＩＰアドレスに基づいてセッション情報テーブル３１２を検索し、ユーザＩＤを取得する（ステップ８０）。次に制御部３０は、ステップ７８で受信したＩＰアドレスと、ステップ８０で取得したユーザＩＤと、ステップ７９でデータ変換処理を行った後の筆記データとを対応付けて筆記データテーブル３１３に登録する（ステップ８１）。以上の情報処理により、情報処理装置１４は、デジタルペン１０の利用者を特定し、その特定した利用者と、該利用者がデジタルペン１０を用いてデジタルペン対応用紙１１に記入した情報とを対応付けてアプリケーション３２０を処理することができる。従って、複数の利用者が１つのデジタルペンを利用した場合であっても、簡易にかつ確実に利用者を特定することができる。
【実施例２】
【００２０】
上述の第１の実施形態によるシステム１は、ユーザ認証機能３２１を情報処理装置１４に設けた場合について説明したが、ユーザ認証機能３２１を端末１２に設けても良い。
【００２１】
図８は、本発明の第２の実施形態による情報処理を示すシーケンスである。まずデジタルペン１０の利用者は、端末１２の表示部２４に表示されたログイン画面から、入力部２４によりユーザＩＤと認証キーを入力する（ステップ８００）。端末１２は、利用者により入力されたユーザＩＤを情報処理装置１４に送信する（ステップ８０１）。
【００２２】
端末１２からのユーザＩＤをネットワークインタフェース３２により受信すると、制御部３０は、ネットワークインタフェース３２により受信したユーザＩＤに基づいてユーザ情報テーブル３１１を検索して該ユーザＩＤに対応する認証キーを取得し、端末１２に送信するように制御する（ステップ８０２）。
【００２３】
端末１２に備える制御部２０は、ステップ８００で受信した認証キーとステップ８０２で受信した認証キーとを照合し、利用者の認証を行う（ステップ８０３）。次に制御部３０は、利用者の認証が正常であれば、ユーザＩＤととともに端末１２のＩＰアドレスを情報処理装置１４に送信する（ステップ８０４）。又、制御部２０は、デジタルペン１０からの筆記ストロークデータを情報処理装置１４へ送信できるようにデジタルペンインタフェース２２を制御する（ステップ８０５）。この制御によって、デジタルペンインタフェース２２は、デジタルペン１０から受信した筆記ストロークデータを出力できる状態となる。
【００２４】
情報処理装置１４に備える制御部３０は、ネットワークインタフェース３２により受信したＩＰアドレスとユーザＩＤとを対応付けてセッション情報テーブル３１２に登録する（ステップ８０６）。
【００２５】
又、端末１２に備える制御部２０は、ステップ８０５の処理の後、“ログイン成功”などのメッセージを表示部２５に表示するように制御する（ステップ８０７）。次に制御部２０は、デジタルペン１０からの筆記ストロークデータ（ステップ８０８）とともに端末１２のＩＰアドレスを情報処理装置１４に送信するように制御する（ステップ８０９）。
【００２６】
端末１２からの筆記ストロークデータ、ＩＰアドレスを情報処理装置１４に備えるネットワークインタフェース３２により受信すると、制御部３０は、受信した筆記ストロークデータをアプリケーション３２０に適した形式のデータ（テキストデータ、画像データなど）に変換する（ステップ８１０）。次に制御部３０は、ステップ８０９で受信したＩＰアドレスに基づいてセッション情報テーブル３１２を検索し、ユーザＩＤを取得する（ステップ８１１）。次に制御部３０は、ステップ８０９で受信したＩＰアドレスと、ステップ８１１で取得したユーザＩＤと、ステップ８１０でデータ変換処理を行った後の筆記データとを対応付けて筆記データテーブル３１３に登録する（ステップ８１２）。以上の情報処理により、情報処理装置１４は、デジタルペン１０の利用者を特定し、その特定した利用者と、該利用者がデジタルペン１０を用いてデジタルペン対応用紙１１に記入した情報とを対応付けてアプリケーション３２０を処理することができる。従って、複数の利用者が１つのデジタルペンを利用した場合であっても、簡易にかつ確実に利用者を特定することができる。
【００２７】
尚、上述の第１、第２の実施形態において、デジタルペン１０の利用者が、デジタルペン対応用紙１１に筆記している途中で、一旦端末１２から離れるなどすることによって、他の利用者がこのデジタルペン１０を用いてデジタルペン対応用紙１１に筆記する可能性がある。この場合には、端末１２にタイマー機能を設けて、一定時間を経過してもデジタルペン１０から筆記ストロークデータを受信しない場合には、情報処理装置１４へのデータ送信を不可になるようにデジタルペンインタフェース２２を制御することにより、他の利用者の介入を防止することができる。
【００２８】
又、上述の第１、第２の実施形態においては、デジタルペン１０からの筆記ストロークデータの送信制御機能を端末１２に設けた場合を説明したが、この機能をデジタルペン１０に設けるようにしても良い。この場合には、利用者の認証後（認証が正常）、端末１２からデジタルペン１０に対して筆記ストロークデータの送信制御の指示をするようにすれば良い。
【００２９】
更に、上述の第１、第２の実施形態においては、端末１２と情報処理装置１４とで各々機能を分担しているが、端末１２に備える機能と情報処置装置１４に備える機能とを１つの装置で実現しても良い。
【産業上の利用可能性】
【００３０】
電子申請システムや業務報告を登録システムなど、デジタルペンの利用者を特定してアプリケーションを処理するシステムに本発明を適用することができる。
【図面の簡単な説明】
【００３１】
【図１】本発明による情報処理方法及び情報処理装置を用いたシステム１全体の構成を示す図である。
【図２】端末１２の構成を示すブロック図である。
【図３】情報処理装置１４の構成を示すブロック図である。
【図４】ユーザ情報テーブル３１１の構成を示す図である。
【図５】セッション情報テーブル３１２の構成を示す図である。
【図６】筆記データテーブル３１３の構成を示す図である。
【図７】本発明の第１の実施形態による情報処理を示すフローチャートである。
【図８】本発明の第２の実施形態による情報処理を示すシーケンスである。
【符号の説明】
【００３２】
１０・・・デジタルペン、１１・・・デジタルペン対応用紙、１２・・・端末、１３・・・ネットワーク、１４・・・情報処理装置、２０、３０・・・制御部、２１、３１・・・記憶部、２２・・・デジタルペンインタフェース、２３、３２・・・ネットワークインタフェース、２４・・・入力部、２５・・・表示部。
【図１】
2007108968.tif 000003
【図２】
2007108968.tif 000004
【図３】
2007108968.tif 000005
【図４】
2007108968.tif 000006
【図５】
2007108968.tif 000007
【図６】
2007108968.tif 000008
【図７】
2007108968.tif 000009
【図８】
2007108968.tif 000010